(57)【要約】【課題】前板の基板へのネジ止め作業が容易で、かつ、前板の薄肉化、軽量化を図ることができる空気調和機の室外機を提供する。【解決手段】送風機（図示せず）が取り付けられると共に雌ネジ部２ａを有する基板２と、前記送風機の前側に位置し、ネジ穴３ａを有すると共に前記ネジ穴３ａを貫通するネジ４で前記基板２にネジ止めされる前板３と、前記基板２に装着される金属製引掛け具１を備え、前記金属製引掛け具１は、前記前板３の前記基板２へのネジ止め前に、前記前板３を保持すると共に、前記雌ネジ部２ａの中心と、前記ネジ穴３ａのそれとを一致させる位置決め機能を有するもので、前板３の基板２へのネジ止め作業が容易になると共に、前板３に、基板２への引っ掛け部などを設ける必要が無いので、前板３の薄肉化、軽量化を図ることができる。【選択図】図２
2008039235.tif 000002
【特許請求の範囲】
【請求項１】
送風機が取り付けられると共に雌ネジ部を有する基板と、前記送風機の前側に位置し、ネジ穴を有すると共に前記ネジ穴を貫通するネジで前記基板にネジ止めされる前板と、前記基板に装着される金属製引掛け具を備え、前記金属製引掛け具は、前記前板の前記基板へのネジ止め前に、前記前板を保持すると共に、前記雌ネジ部の中心と、前記ネジ穴のそれとを一致させる位置決め機能を有することを特徴とした空気調和機の室外機。
【請求項２】
金属製引掛け具の一部に前板と密接するフランジ部を設けたことを特徴とした請求項１に記載の空気調和機の室外機。
【発明の詳細な説明】
【技術分野】
【０００１】
本発明は、空気調和機の室外機に関するもので、特に、基板と前板のネジ締結構造に関するものである。
【背景技術】
【０００２】
従来の空気調和機の室外機について図4を用いて説明する。図4は、従来の空気調和機の室外機の前板、側板を取り外した状態を示す斜視図である。
【０００３】
図4において、従来の空気調和機の室外機は、防音板７によって区画された基板２上の一方に、送風機６を配設し、同送風機６の前方に、透孔３ｄを備えた前板３を配設し、送風機６の側方に通風孔５ｂを穿設した側板５を配設し、上記基板２の後部及び側部に、端板（図示せず）に挟持されたＬ字状の室外側熱交換器８を配設している。
【０００４】
又、前板３の基板２へのネジ４による締結作業を容易にするために、前記前板３に引掛け部１１を設けると共に、これに対向する前記側板５に切欠き部１２を穿設し、前記前板３の引掛け部１１を前記側板５に設けた切欠き部１２に引っ掛けることにより、前板３の基板２へのネジ４による締結前に前板３を保持し、基板２に設けた雌ネジ部２ａと前板３に設けたネジ穴３ａを合わせる位置決めを行っていた（例えば、特許文献１参照）。
【特許文献１】実開平５−３８２２号公報（実願平３−５５８３９号のマイクロフイルム）
【発明の開示】
【発明が解決しようとする課題】
【０００５】
しかしながら、前記従来の空気調和機の室外機の構成では、前板３が引掛け部１１と一体のために前板３の外形が大きくなり、それによりコスト増や、引掛け部１１の強度上前板３の薄肉化、軽量化を図ることが困難になるといった課題、また側板５側に切欠き部１２を設けることにより、強度が低下したり、切欠き部１２より内部に雨水が浸入するという課題を有していた。
【０００６】
本発明は、上記従来の課題を解決するもので、前板の取り付けが容易で、前板の薄肉化、軽量化を図ることができると共に、雨水が浸入することの無い空気調和機の室外機を提供することを目的とする。
【課題を解決するための手段】
【０００７】
上記従来の課題を解決するために、本発明の空気調和機の室外機は、送風機が取り付けられると共に雌ネジ部を有する基板と、前記送風機の前側に位置し、ネジ穴を有すると共に前記ネジ穴を貫通するネジで前記基板にネジ止めされる前板と、前記基板に装着される金属製引掛け具を備え、前記金属製引掛け具は、前記前板の前記基板へのネジ止め前に、前記前板を保持すると共に、前記雌ネジ部の中心と、前記ネジ穴のそれとを一致させる位置決め機能を有するもので、前板の基板へのネジ止め作業が容易になると共に、前板に、基板への引っ掛け部などを設ける必要が無いので、前板の薄肉化、軽量化を図ることができる。又、側板に前板を引っ掛けるための切欠き部を設ける必要が無いので、その部分から雨水が浸入することもない。
【０００８】
筆禍かける
【発明の効果】
【０００９】
本発明の空気調和機の室外機は、前板の基板へのネジ止め作業が容易で、しかも前板の薄肉化、軽量化を図ることができるとともに、雨水が浸入することがない。
【００１０】
安価な構成で、前板の薄肉化、軽量化を図ることができる。
【発明を実施するための最良の形態】
【００１１】
第１の発明は、送風機が取り付けられると共に雌ネジ部を有する基板２と、前記送風機の前側に位置し、ネジ穴を有すると共に前記ネジ穴を貫通するネジで前記基板にネジ止めされる前板と、前記基板に装着される金属製引掛け具を備え、前記金属製引掛け具は、前記前板の前記基板へのネジ止め前に、前記前板を保持すると共に、前記雌ネジ部の中心と、前記ネジ穴のそれとを一致させる位置決め機能を有するもので、前板の基板へのネジ止め作業が容易になると共に、前板に、基板への引っ掛け部などを設ける必要が無いので、前板の薄肉化、軽量化を図ることができる。又、側板に前板を引っ掛けるための切欠き部を設ける必要が無いので、その部分から雨水が浸入することもない。
【００１２】
第２の発明は、特に、第１の発明の金属製引掛け具の一部に前板と密接するフランジ部を設けたもので、基板と前板との隙間を塞ぐことができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の室外機の斜視図、図２は、同空気調和機の室外機の要部斜視図(前板を取り付ける前の状態)、図３は、図１のＡ−Ａ断面図である。なお、従来例と同一部分については、同一符号を付してその説明を省略する。
【００１５】
図１、２において、本実施の形態における空気調和機の室外機１０は、送風機６（図４参照）と室外側熱交換器８（図４参照）を取り付けた基板２と、基板２にネジ止めされると共に送風機６の側方に位置する側板５と、送風機６の前側に位置すると共に金属製引掛け具１を介して基板２に、ネジ４で取り付けられる前板３を備えている。
【００１６】
金属製引掛け具１は、図２、３に示すように、基板２を挟み込むように、上方より基板２に装着されると共に、前板３を基板２にネジ止めする前に、前板３の下端３ｂを保持し、基板２に設けた雌ネジ部２ａと、前板３に設けたネジ穴３ａを位置決めする機能を有している。２ｂは、金属製引掛け具１を基板２に装着したときの左右方向の位置ずれを防止するための段差部で、基板２の雌ネジ部２ａの両側に一体に設けられている。
【００１７】
次に、前板３の基板２への取り付け方法について説明する。
【００１８】
まず最初に、金属製引掛け具１を、基板２に設けた段差部２ｂに、上方より装着する。この時点で、金属製引掛け具１の左右方向での位置が定まると共に、基板２に設けた雌ネジ部２ａと、金属製引掛け具１に設けた開口１ｂのそれぞれの中心が一致するようになっている。
【００１９】
次に、前板３の下端３ｂを金属製引掛け具１の下フランジ１ｃに載せると、前板３の下方へのずれを防止すると共に、前板３に設けたネジ穴３ａの位置と金属製引掛け具１に設けた開口１ｂのそれとが、上下方向で一致するようになっている。
【００２０】
そして、前板３の両側の側壁３ｃを左右の側板５の前縁５ａに嵌合させると、前板３の
左右方向の位置決めがされると共に、前板３に設けたネジ穴３ａの中心と金属製引掛け具１に設けた開口１ｂの中心とが一致するので、ネジ４で、容易に前板３を基板２にネジ止めすることが出来る。
【００２１】
以上のように本実施の形態によれば、前板３の基板２へのネジ止め作業が容易になると共に、前板３に、基板２への引っ掛け部などを設ける必要が無いので、前板３の薄肉化、軽量化を図ることができる。又、側板５に前板３を引っ掛けるための切欠き部を設ける必要が無いので、その部分から雨水が浸入することもない。
【００２２】
又、金属製引掛け具１の一部には、前板３に密接するフランジ部１ａが設けられているので、基板２と前板３との間の隙間が塞がれ、基板２と前板３の密着性が向上する。
【産業上の利用可能性】
【００２３】
以上のように、本発明に係る空気調和機の室外機は、前板の基板へのネジ止め作業が容易になると共に、前板に、基板への引っ掛け部などを設ける必要が無いので、前板の薄肉化、軽量化を図ることができるもので、空気調和機の室外機に限らず、給湯器、暖房機器など金属材料からなる外郭を有する各種機器にも広く適用できる。
【図面の簡単な説明】
【００２４】
【図１】本発明の第１の実施の形態における空気調和機の室外機の斜視図
【図２】同空気調和機の室外機の要部斜視図(前板を取り付ける前の状態)
【図３】図１のＡ―Ａ断面図
【図４】従来の空気調和機の室外機の前板、側板を取り外した状態を示す斜視図
【符号の説明】
【００２５】
１    金属製引掛け具
１ａ  フランジ部
２    基板
２ａ  雌ネジ部
３    前板
３ａ  ネジ穴
４    ネジ
５    側板
６    送風機
８    室外側熱交換器
１０    空気調和機の室外機
【図１】
2008039235.tif 000003
【図２】
2008039235.tif 000004
【図３】
2008039235.tif 000005
【図４】
2008039235.tif 000006